(57)【要約】【課題】会話時には飛沫の飛散を抑制し、飲食を容易にすることが可能な会食に適したフェイスシールドを提供する。【解決手段】両側のテンプル１０、テンプル１０を繋ぐリム１２と、リム１２に対して回動可能に設けられたマスクシールドフレーム２４と、マスクシールドフレーム２４に取り付けられたマスク２０と、を備え、使用時において、マスク２０が使用者の口及び鼻を覆わない開状態から覆う閉状態となる回動方向にマスクシールドフレーム２４に対して付勢力を与える弾性体３４を備えるフェイスシールド１００とする。【選択図】図１
0003235380.tif 000002
【実用新案登録請求の範囲】
【請求項１】
両側のテンプルと、
前記テンプルを繋ぐリムと、
前記リムに対して回動可能に設けられたマスクシールドフレームと、
前記マスクシールドフレームに取り付けられたマスクと、
を備え、
使用時において、前記マスクが使用者の口及び鼻を覆わない開状態から覆う閉状態となる回動方向に前記マスクシールドフレームに対して付勢力を与える付勢部材を備えることを特徴とするフェイスシールド。
【請求項２】
請求項１に記載のフェイスシールドであって、
前記開状態において前記マスクシールドフレームの回動を止めるロック機構を備え、
前記ロック機構を開放すると、前記付勢部材の付勢力によって前記開状態から前記閉状態へ前記マスクシールドフレームが回動されることを特徴とするフェイスシールド。
【請求項３】
請求項１又は２に記載のフェイスシールドであって、
前記マスクシールドフレームと前記マスクとの間にバネ部を備え、
前記閉状態において、前記バネ部の弾性によって前記マスクの縁が使用者の顔に密着するように前記マスクが可動であることを特徴とするフェイスシールド。
【請求項４】
請求項３に記載のフェイスシールドであって、
前記バネ部は、蛇腹状のバネ構造を備えることを特徴とするフェイスシールド。
【請求項５】
請求項３に記載のフェイスシールドであって、
前記バネ部は、板バネ構造を備え、
前記マスクシールドフレームと前記マスクとの間に設けられたヒンジと組み合わされていることを特徴とするフェイスシールド。
【請求項６】
請求項１〜５のいずれか１項に記載のフェイスシールドであって、
前記マスクシールドフレームと前記マスクとの間に、前記マスクシールドフレームと前記マスクとの相対的な位置をずらすためのマスクスライダが設けられていることを特徴とするフェイスシールド。
【請求項７】
請求項６に記載のフェイスシールドであって、
前記マスクスライダは、クリップ構造を備え、
前記マスクスライダによって前記マスクに設けられた切り込み穴にクリップすることによって、前記マスクシールドフレームと前記マスクとの相対的な位置をずらすことが可能であることを特徴とするフェイスシールド。
【考案の詳細な説明】
【技術分野】
【０００１】
本考案は、会食に適したフェイスシールドに関する。
【背景技術】
【０００２】
現在、新型コロナ感染症（ＣＯＶＩＤ−１９）により、感染防止対策としてマスク・手洗い・換気等の対策が重要視されている。特に、会食時における口や鼻からの飛沫及びミスト等が感染拡大の一因に挙げられている。会食時に於いてもマスクを装着した状態で臨み、飲食時のみマスクを外して食し、会話時には再びマスクを装着して食事する事が感染防止に有効とされており「マスク会食」と言う言葉まで誕生している。
【考案の概要】
【考案が解決しようとする課題】
【０００３】
しかしながら、「マスク会食」を実際に行おうとした場合、従来の紐で耳に装着するマスクでは、マスクを外し、箸又はフォーク等で食物を口内に入れ、再度マスクを装着してから会話する必要がある。その際、外したマスクの置き場所に困ったり、マスクの着脱が面倒だったりして、実際には「マスク会食」は実行され難いのが実情である。
【０００４】
本考案は、使用者の顔にフィットし、会話時には飛沫の飛散を抑制し、飲食を容易にすることが可能な会食に適したフェイスシールドを提供することを目的とする。
【課題を解決するための手段】
【０００５】
本考案の１つの態様は、両側のテンプルと、前記テンプルを繋ぐリムと、前記リムに対して回動可能に設けられたマスクシールドフレームと、前記マスクシールドフレームに取り付けられたマスクと、を備え、使用時において、前記マスクが使用者の口及び鼻を覆わない開状態から覆う閉状態となる回動方向に前記マスクシールドフレームに対して付勢力を与える付勢部材を備えることを特徴とするフェイスシールドである。
【０００６】
ここで、前記開状態において前記マスクシールドフレームの回動を止めるロック機構を備え、前記ロック機構を開放すると、前記付勢部材の付勢力によって前記開状態から前記閉状態へ前記マスクシールドフレームが回動されることが好適である。
【０００７】
また、前記マスクシールドフレームと前記マスクとの間にバネ部を備え、前記閉状態において、前記バネ部の弾性によって前記マスクの縁が使用者の顔に密着するように前記マスクが可動であることが好適である。
【０００８】
また、前記バネ部は、蛇腹状のバネ構造を備えることが好適である。また、前記バネ部は、板バネ構造を備え、前記マスクシールドフレームと前記マスクとの間に設けられたヒンジと組み合わされていることが好適である。
【０００９】
また、前記マスクシールドフレームと前記マスクとの間に、前記マスクシールドフレームと前記マスクとの相対的な位置をずらすためのマスクスライダが設けられていることが好適である。
【００１０】
また、前記マスクスライダは、クリップ構造を備え、前記マスクスライダによって前記マスクに設けられた切り込み穴にクリップすることによって、前記マスクシールドフレームと前記マスクとの相対的な位置をずらすことが可能であることが好適である。
【考案の効果】
【００１１】
本考案によれば、使用者の顔にフットし、会話時には飛沫の飛散を抑制し、飲食を容易にすることが可能な会食に適したフェイスシールドを提供することができる。
【図面の簡単な説明】
【００１２】
【図１】本考案の実施の形態におけるフェイスシールドの構成を示す斜視図である。
【図２】本考案の実施の形態におけるフェイスシールドの開状態を示す図である。
【図３】本考案の実施の形態におけるフェイスシールドの閉状態を示す図である。
【図４】本考案の実施の形態におけるフェイスシールドの閉状態を説明する図である。
【図５】本考案の実施の形態におけるフェイスシールドの構成を示す図である。
【図６】本考案の実施の形態におけるフェイスシールドのクリップの構成例を示す図である。
【図７】本考案の実施の形態におけるフェイスシールドの変形例の構成を示す図である。
【図８】本考案の実施の形態におけるフェイスシールドの変形例の作用を説明する図である。
【図９】本考案の実施の形態におけるフェイスシールドの変形例の閉状態を説明する図である。
【考案を実施するための形態】
【００１３】
本考案の実施の形態におけるフェイスシールド１００は、図１の斜視図に示すように、テンプル１０、リム１２、蝶番部１４、ノーズパッド１６、アイシールド１８、マスク２０、マスクサポート２２、マスクシールドフレーム２４、バネ部２６、マスク蝶番部２８、ボタン３０、固定爪３２、弾性体３４及びマスクスライダ３６を含んで構成される。
【００１４】
図１では、マスク２０で使用者の口や鼻を覆っていない状態（以下、開状態という）を実線で示す。図２は、開状態におけるフェイスシールド１００を側面から示した図である。また、図１では、マスク２０で使用者の口や鼻を覆っている状態（以下、閉状態という）を破線で示す。図３は、閉状態におけるフェイスシールド１００を側面から示した図である。また、図４は、使用者がフェイスシールド１００を装着したときの閉状態における様子を示す図である。なお、図２〜図４では、開状態と閉状態を明確に示すためにフェイスシールド１００の構成の一部を記載していない。
【００１５】
開状態では、マスク２０を上げて口と鼻を覆っていない状態であるので、会食時等において即座に飲食が可能な状態とすることができる。また、閉状態では、マスク２０を下げて口と鼻を覆っている状態であるので、使用者からの飛沫の飛散を防ぐことができる。
【００１６】
テンプル１０は、使用者がフェイスシールド１００を使用する際に使用者の耳やこめかみに掛けられる部分である。テンプル１０は、蝶番部１４を介してリム１２の両端に設けられる。蝶番部１４を設けることによって、テンプル１０をリム１２に対して折り畳んでコンパクトな状態にすることができる。リム１２は、２つのテンプル１０を繋ぐ部分である。リム１２のブリッジ部にはノーズパッド１６が設けられる。フェイスシールド１００の使用時において、ノーズパッド１６が使用者の鼻に当たるようにしつつ、テンプル１０を使用者の耳やこめかみに掛けることによって、眼鏡を掛けるようにフェイスシールド１００を使用者の顔に装着することができる。
【００１７】
テンプル１０及びリム１２の材質は、特に限定されるものではなく、樹脂、金属等とすることができる。なお、テンプル１０は、使用者の耳やこめかみのラインに合わせて変形できるような材質とすることが好適である。
【００１８】
なお、ノーズパッド１６の高さを適切に設定することによって、使用者が眼鏡を掛けた状態であってもフェイスシールド１００を装着することができる。これによって、眼鏡を掛けている使用者であっても、普段の視界を維持した状態でフェイスシールド１００を使用することができる。同様に、目を保護する保護用眼鏡やゴーグル等を使用している際でもフェイスシールド１００を併用することができる。
【００１９】
アイシールド１８は、フェイスシールド１００の使用者の目が他人からの飛沫に曝露されるのを防ぎ、使用者の目を保護するための部材である。アイシールド１８は、使用者の目の位置に合わせて眼鏡やサングラスのレンズのように設けられる。アイシールド１８は、特に限定されるものではないが、フェイスシールド１００の使用者の視界を妨げないように透明な部材で構成することが好適である。アイシールド１８は、例えば、ガラス、樹脂等で構成することができる。
【００２０】
図２及び図３に示すように、リム１２やノーズパッド１６にクリップ３８を設け、当該クリップ３８によってアイシールド１８を取り付けるような構成としてもよい。このように、アイシールド１８を後から取り付けられる構成とすることによって、眼鏡やサングラスを装着している使用者はアイシールド１８を取り付けることなくフェイスシールド１００を使用することができる。一方、眼鏡やサングラスを装着していない使用者はクリップ３８にアイシールド１８を取り付けることによって目を保護することができる。
【００２１】
クリップ３８の構成は、特に限定されるものではなく、リム１２やノーズパッド１６にアイシールド１８を取り付けられる構成であればよい。例えば、クリップ３８の先端を球形状にしておき、弾性を利用してアイシールド１８に設けられた小穴に当該球形状の先端を嵌め込んで取り付けるような構成としてもよい。また、クリップ３８をアイシールド１８の縁を挟み込むような構成とし、アイシールド１８を挟み込むことで取り付けるような構成としてもよい。
【００２２】
マスク２０は、フェイスシールド１００の使用者の口及び鼻を覆って飛沫の飛散を妨げるための部分である。マスク２０の形状は、フェイスシールド１００が閉状態にあるときに使用者の口と鼻を覆うことができる形状であればよい。例えば、マスク２０は、平板形状、椀形状、半球形状等とすることができる。ただし、呼吸を妨げず、効率的に飛沫の飛散を防止するためには椀形状とすることが好適である。
【００２３】
マスク２０を構成する素材は、特に限定されるものではないが、軽い素材とすることが好適である。また、マスク２０は、会食の会話時等において使用者の口の動きや表情を確認できるように透明又は半透明とすることが好適である。ただし、これに限定されるものではなく、マスク２０を不透明にしてもよい。後述するフェイスシールド１００の開閉機構をコンパクトに構成するためには、マスク２０の全体重量は５ｇ以下とすることが好適である。例えば、マスク２０は、不織布、ポリプロピレン、ポリエチレン等の樹脂材料、ガラス、金属、紙等で構成することができる。
【００２４】
マスク２０の縁部分にスカート部２０ａを設けてもよい。スカート部２０ａは、特に限定されるものではないが、柔らかい材料、例えば、シリコン、ゴム、布等で構成することが好適である。すなわち、閉状態において使用者の顔に接するマスク２０の縁部分に柔らかい材料で構成されたスカート部２０ａを設けることで、マスク２０と使用者の顔との接触部の密着性を高めることができる。
【００２５】
マスクサポート２２は、マスク２０をリム１２に取り付けるための部材の１つである。マスクサポート２２は、マスク２０の形状を保持するためのマスクサポート部、マスクサポート部からマスクシールドフレーム２４へ延設されたブリッジ部を含んで構成される。マスクサポート部は、マスク２０の形状に沿って延設されることが好適である。マスクサポート部をマスク２０の外側（上部側）に沿った形状とし、マスクサポート部をマスク２０の外側（上部側）に沿わせて配置することによって、マスク２０の型崩れを抑制し、マスク２０の形状を長時間に亘って維持することができる。また、マスク２０が安定的に保持され、使用時にマスク２０が左右・上下にずれることを抑制することができる。
【００２６】
マスクシールドフレーム２４は、マスクサポート２２とリム１２とを繋ぐ部材である。マスクシールドフレーム２４には、後述する固定爪３２と係合する係止穴２４ａが設けられる。バネ部２６は、マスクサポート２２とマスクシールドフレーム２４を接続する部分に設けられる。マスクサポート２２、マスクシールドフレーム２４及びバネ部２６の材質は、特に限定されるものではなく、樹脂、金属等とすることができる。
【００２７】
本実施の形態におけるフェイスシールド１００では、バネ部２６として蛇腹状のバネ構造を採用している。蛇腹状のバネ構造のバネ部２６とすることによって、バネ部２６の弾性の範囲においてマスクシールドフレーム２４に対してマスクサポート２２を３次元的に相対的に自在に動かすことが可能になる。
【００２８】
マスク蝶番部２８は、マスクシールドフレーム２４とリム１２との間に設けられる。マスク蝶番部２８は、リム１２に対してマスクシールドフレーム２４を上下方向に回動させることを可能にする。
【００２９】
ボタン３０は、固定爪３２を操作するための部材である。固定爪３２は、リム１２又はノーズパッド１６からマスクシールドフレーム２４の方向へ向けて延設される。固定爪３２は、マスクシールドフレーム２４に設けられた係止穴２４ａと係合してフェイスシールド１００を開状態に保持するための部材である。ボタン３０及び固定爪３２の材質は、特に限定されるものではなく、樹脂、金属等とすることができる。
【００３０】
弾性体３４は、リム１２のブリッジ部とマスクシールドフレーム２４との間を繋ぐ弾性を有する部材である。弾性体３４は、マスク蝶番部２８を回動の中心軸としてリム１２に対してマスクシールドフレーム２４を開状態から閉状態とする方向に回動させるような付勢力を発生させるように設けられる。弾性体３４は、特に限定されるものではないが、例えばゴム等の弾性材料から構成することができる。本実施の形態では、マスクシールドフレーム２４に弾性体３４を掛けるための外れ防止穴２４ｂを設けた構成とし、弾性体３４を当該外れ防止穴２４ｂに引っ掛けることによって弾性体３４が外れないように取り付けている。
【００３１】
マスクスライダ３６は、マスク２０の取付位置を調整可能とする部材である。マスクスライダ３６は、マスクサポート２２から延設される。マスクスライダ３６は、図１〜図４に示すように、マスクサポート２２から延設され、先端部において折り返されたクリップ構造とすることができる。クリップ構造の長さは、例えば、１ｃｍ以上５ｃｍ以下とすることが好適である。そして、マスク２０に切り込み穴２０ｂを設けておき、マスクスライダ３６の当該クリップ構造によって切り込み穴２０ｂの縁を挟み込む。これによって、マスク２０は簡単に交換できる構成とすることができる。さらに、図１及び図２に示すように、マスクスライダ３６のクリップ構造部の長さ分だけマスク２０をスライドさせて位置を調整することが可能になる。
【００３２】
ただし、マスクスライダ３６は、クリップ構造に限定されるものではなく、例えばヒンジを設けた開閉構造でマスク２０を挟み込むような構造としてもよい。また、フォーク状の爪として、マスク２０の下部方向から差し込む方式としてもよい。
【００３３】
なお、マスク２０、マスクサポート２２、マスクシールドフレーム２４、バネ部２６、マスク蝶番部２８、ボタン３０、固定爪３２、弾性体３４及びマスクスライダ３６をテンプル１０、リム１２、蝶番部１４、ノーズパッド１６及びアイシールド１８から分離させた構成としてもよい。例えば、図５に示すように、マスクシールドフレーム２４にクリップ部４０（４０ａ，４０ｂ）を設け、クリップ部４０（４０ａ，４０ｂ）によってリム１２やノーズパッド１６にマスク２０、マスクサポート２２、マスクシールドフレーム２４、バネ部２６、マスク蝶番部２８、ボタン３０、固定爪３２、弾性体３４及びマスクスライダ３６を取り付けられるようにしてもよい。なお、説明を明確にするために、図５にはマスク２０、マスクサポート２２、バネ部２６、弾性体３４及びマスクスライダ３６は図示していない。
【００３４】
クリップ部４０の構成は、図５に示した構成に限定されるものではない。例えば、クリップ部４０の構成は、図６（ａ）〜図６（ｄ）に示すような構成としてもよい。図６（ａ）では、マスクシールドフレーム２４の上下２箇所にクリップ部４０（４０ａ，４０ｂ）をそれぞれ設けた構成としている。また、図６（ｂ）では、マスクシールドフレーム２４の左右２箇所にクリップ部４０（４０ａ，４０ｂ）をそれぞれ設けた構成としている。図６（ｃ）では、左右２箇所と上１箇所にクリップ部４０（４０ａ，４０ｂ，４０ｃ）をそれぞれ設けた構成としている。図６（ｄ）では、左右２箇所と上下２箇所にクリップ部４０（４０ａ，４０ｂ，４０ｃ，４０ｄ）をそれぞれ設けた構成としている。このように、クリップ部４０は、リム１２やノーズパッド１６にマスク２０、マスクサポート２２、マスクシールドフレーム２４、バネ部２６、マスク蝶番部２８、ボタン３０、固定爪３２、弾性体３４及びマスクスライダ３６を取り付けられるような構成であればよい。
【００３５】
また、フェイスシールド１００を構成する各部は、樹脂で構成することができるとしたが、天然の硬化繊維素材、例えばバルカナイズドファイバー等、で構成してもよい。このような材料を適用することによって、フェイスシールド１００の使用後は土に返すことで自然分解される。したがって、環境に優しく、持続可能なＳＤＧｓ及びカーボンニュートラルに貢献できるフェイスシールド１００を提供することができる。
【００３６】
［フェイスシールドの使用方法］
以下、図１〜図４を参照して、フェイスシールド１００の使用方法について説明する。
【００３７】
フェイスシールド１００を開状態にする場合、図２に示すように、マスク蝶番部２８を回動の中心軸としてマスク２０を上に持ち上げ、固定爪３２とマスクシールドフレーム２４に設けられた係止穴２４ａとを係合させる。ボタン３０を押し下げていない状態では、固定爪３２の弾性力によって固定爪３２の先端の係合爪が上方向に押し上げられており、固定爪３２と係止穴２４ａとが係合してマスク２０が上に持ち上げられた状態で保持される。これによって、フェイスシールド１００が開状態となる。
【００３８】
フェイスシールド１００が開状態であるとき、使用者の鼻と口はマスク２０から解放された状態となり、使用者は飲食を自由に行うことができる。
【００３９】
フェイスシールド１００を閉状態にする場合、固定爪３２に接続されたボタン３０を押し下げる。ボタン３０の押下に伴って、固定爪３２の弾性力によって固定爪３２の先端の係合爪が下方向に押し下げられ、固定爪３２と係止穴２４ａとの係合が外れる。そして、リム１２とマスクシールドフレーム２４とを繋ぐ弾性体３４の収縮による付勢力によってマスク蝶番部２８を回動の中心軸としてリム１２に対してマスクシールドフレーム２４が開状態から閉状態とする方向に回動させられる。これによって、図３に示すように、フェイスシールド１００が閉状態となる。
【００４０】
フェイスシールド１００が閉状態であるとき、使用者の鼻と口はマスク２０によって覆われた状態となり、使用者の鼻や口からの飛沫の飛散を抑制することができる。
【００４１】
このとき、図４に示すように、マスク２０は最初に使用者の下顎に接し、図４の破線で示すように、マスク２０の上部は使用者の顔から浮いた状態となる。その後、図４の実線で示すように、バネ部２６の弾性力による自在機構の作用によってバネ部２６が移動前の位置Ｘから屈曲して移動後の位置Ｙとなり、当該下顎を支点としてマスク２０の上部が使用者の顔に接した状態となる。
【００４２】
このように、弾性体３４によってマスク２０が使用者の顔に密着するように付勢力を与えることによってマスク２０と使用者の顔との密着性を高めることができる。さらに、バネ部２６を設けたことによって、フェイスシールド１００を閉状態にしたときに使用者の顔の形状に合わせてマスク２０の位置が微調整され、マスク２０と使用者の顔との密着性をより高めることができる。
【００４３】
また、上記のように、マスクスライダ３６を設けることによって、使用者の顔の大きさに応じてマスク２０の取付位置を調整可能である。したがって、使用者の鼻や口の位置に合わせてマスク２０の位置を調整することで、マスク２０と使用者の顔との密着性をより高めることができる。さらに、マスク２０にスカート部２０ａを設けることによって、マスク２０と使用者の顔との接触部の密着性を高めることができる。
【００４４】
［変形例］
図７は、フェイスシールド１００の変形例を示す。図７では、フェイスシールド１００の変形例を明確に示すために、フェイスシールド１００の一部の構成を図示していない。
【００４５】
変形例におけるフェイスシールド１００では、蛇腹状のバネ構造のバネ部２６に代えて板バネ構造のバネ部２６とヒンジ４２とを組み合わせた構成としている。
【００４６】
バネ部２６を板バネ構造とし、バネ部２６とヒンジ４２とを組み合わせることによって、図８（ａ）に示すようにヒンジ４２が開いた状態から、弾性体３４の付勢力によって、図８（ｂ）に示すようにヒンジ４２を中心軸としてマスクサポート２２とマスクシールドフレーム２４とが折り畳まれるように変形することができる。
【００４７】
すなわち、当該変形例におけるフェイスシールド１００では、開状態から閉状態へマスク２０を動かすと、図９に示すように、マスク２０は最初に使用者の下顎に接する。このとき、図９の破線で示すように、マスク２０の上部は使用者の顔から浮いた状態となる。その後、図９の実線で示すように、弾性体３４の付勢力によりバネ部２６の弾性力による自在機構の作用によってバネ部２６が移動前の位置Ｘから屈曲して移動後の位置Ｙとなり、ヒンジ４２が移動前の位置Ｘ’から屈曲して移動後の位置Ｙ’となり、使用者の下顎を支点としてマスク２０の上部が使用者の顔に接した状態となる。
【００４８】
このように、バネ部２６を設けたことによって、フェイスシールド１００を閉状態にしたときに使用者の顔の形状に合わせてマスク２０の位置が微調整され、マスク２０と使用者の顔との密着性を高めることができる。また、板バネ構造のバネ部２６とヒンジ４２とを組み合わせた構成とすることによって、蛇腹状のバネ部２６とした場合に比べてマスク２０の移動方向が制限されてマスク２０の装着が安定する。
【符号の説明】
【００４９】
１０  テンプル、１２  リム、１４  蝶番部、１６  ノーズパッド、１８  アイシールド、２０  マスク、２０ａ  スカート部、２０ｂ  切り込み穴、２２  マスクサポート、２４  マスクシールドフレーム、２４ａ  係止穴、２６  バネ部、２８  マスク蝶番部、３０  ボタン、３２  固定爪、３４  弾性体、３６  マスクスライダ、３８  クリップ、４０  クリップ部、４２  ヒンジ、１００  フェイスシールド。
【図１】
0003235380.tif 000003
【図２】
0003235380.tif 000004
【図３】
0003235380.tif 000005
【図４】
0003235380.tif 000006
【図５】
0003235380.tif 000007
【図６】
0003235380.tif 000008
【図７】
0003235380.tif 000009
【図８】
0003235380.tif 000010
【図９】
0003235380.tif 000011